(57)【要約】【課題】意匠性（インテリア性）を確保しつつ断熱機能も有する障子を提供する。【解決手段】障子枠と、上記障子枠内に組み込まれる組子１３とを備える障子１である。上記組子１３は、障子１の表面側に配置される第１の組子１３Ａと、障子１の裏面側に配置される第２の組子１３Ｂとからなり、更に、上記第１の組子１３Ａと第２の組子１３Ｂの間に介在し且つ上記障子枠の縦框及び横框に向けて延在する断熱シート１４を有すると共に、上記第１の組子１３Ａ及び第２の組子１３Ｂの少なくとも一方の組子表面に、その組子全面を覆う障子紙を設けない。【選択図】図１
2018127772.tif 000002
【特許請求の範囲】
【請求項１】
障子枠と、上記障子枠内に組み込まれる組子とを備える障子であって、
上記組子は、障子の表側に配置される第１の組子と、障子の裏側に配置される第２の組子とからなり、
更に、上記第１の組子と第２の組子の間に介在し且つ上記障子枠の縦框材及び横框材に向けて延在する断熱シートを有すると共に、
上記第１の組子及び第２の組子の表面に、それぞれ組子で構成される組子模様全面を覆う障子紙を設けないことを特徴とする障子。
【請求項２】
上記断熱シートは、厚さ５ｍｍ以上１０ｍｍ以下の樹脂系不織布からなることを特徴とする請求項１に記載した障子。
【請求項３】
上記障子枠の内周面には、上記断熱シートの端部を差し込む溝を有し、
上記障子枠の上框材における、上記断熱シートの上端部と上下で対向する部分が、上記障子枠の本体に対し上方に分離可能な嵌め込み部となっていることを特徴とする請求項１又は請求項２に記載した障子。
【発明の詳細な説明】
【技術分野】
【０００１】
本発明は、障子の構造に関する。
【背景技術】
【０００２】
一般的な障子は、障子枠内に配置された組子の表面若しくは裏面に障子紙を貼った構造となっている。そして、障子は、サッシ内側や間仕切りなどに使用され、採光を有した目隠しが可能となる。
昨今、住宅の断熱性の向上が求められ、断熱性を有し、採光、目隠しが可能な障子が求められる場合がある。
障子に断熱機能を持たせる場合、一般に寒冷地に使用される太鼓貼り障子のように、障子の表面及び裏面にそれぞれ障子紙を貼り付け、２枚の障子紙間に断熱用の空気層を設けることで断熱性を保っている。
更に、特許文献１には、２枚の障子紙の間に、合成樹脂シートからなる面材を配置することで、空気層を２層に増やして、断熱性の増大を図ることが記載されている。
【先行技術文献】
【特許文献】
【０００３】
【特許文献１】特開２０１１−１５３４１５号公報
【発明の概要】
【発明が解決しようとする課題】
【０００４】
しかし、上記従来技術のように、２枚の障子紙（化粧紙）の間に形成される空気層によって断熱性を得ようとすると、組子表面が障子紙によって覆われてしまうため、障子の意匠性が劣ってしまう。
本発明は、上記のような点に着目してなされたもので、意匠性（インテリア性）を確保しつつ断熱機能も有する障子を提供することを目的としている。
【課題を解決するための手段】
【０００５】
課題を解決するために、本発明の一態様は、障子枠と、上記障子枠内に組み込まれる組子とを備える障子であって、上記組子は、障子の表側に配置される第１の組子と、障子の裏側に配置される第２の組子とからなり、更に、上記第１の組子と第２の組子の間に介在し且つ上記障子枠の縦框材及び横框材に向けて延在する断熱シートを有すると共に、上記第１の組子及び第２の組子の表面に、それぞれ組子で構成される組子模様全面を覆う障子紙を設けないことを特徴とする。
なお、第１の組子による組子模様と、第２の組子による組子模様は異なっていても良い。
【発明の効果】
【０００６】
本発明の一態様によれば、組子模様による意匠性を確保しつつ断熱機能を障子に持たせることが出来る。
【図面の簡単な説明】
【０００７】
【図１】本発明に基づく実施形態に係る障子を示す正面から見た図である。
【図２】本発明に基づく実施形態に係る障子の縦断面図である。
【図３】縦框と断熱シートとの接続部を説明する部分横断面図である。
【図４】障子を上方から見た図である。
【図５】組子模様の例を示す図であって、（ａ）は破れ井げたの例を、（ｂ）は花組子の例を、（ｃ）はいかだ組みの例を示す。
【発明を実施するための形態】
【０００８】
次に、本発明の実施形態について図面を参照しつつ説明する。
本実施形態の障子１は、図１に示すように、障子枠と、組子１３と、断熱シート１４と有する。この障子１は、例えばサッシの内側に配置される内窓障子などとして使用される。
障子枠は、図１に示すように、左右一対の縦框材１２と、その対をなす縦框材１２の上端部に架け渡された上框材１０と、対をなす縦框材１２の下端部に架け渡された下框材１１とからなる。上框材１０と下框材１１が横框材を構成する。
【０００９】
障子枠は、例えば木製の角材から製造される。障子枠が金属製であっても良い。
組子１３は、障子枠内に組み込まれ、障子枠に支持されている。図１では、組子模様が格子状の場合が例示され、縦組子と横組子とが格子状に組み付けれている。なお、組子１３で構成する組子模様は、格子模様に限定されない。図５に示すような種々のデザインの組子模様を採用することが出来る。
本実施形態の組子１３は、図２及び図３に示すように、障子１の表側に配置される第１の組子１３Ａと、障子１の裏側に配置される第２の組子１３Ｂとの二組の組子からなる。図２中、右側を障子１の表側とする。
【００１０】
第１の組子１３Ａと第２の組子１３Ｂとの間には、上方方向及び左右方向に延びる平坦状の空間（以下、シート挿入空間とも呼ぶ）が形成されていて、そのシート挿入空間の位置には、第１の組子１３Ａも第２の組子１３Ｂも配置されていない。
なお、図２及び図３では、第１の組子１３Ａと第２の組子１３Ｂの配置パターンが同じ場合を例示している。しかし、第１の組子１３Ａで構成する組子模様と第２の組子１３Ｂで構成する組子模様とが異なっていても良い。この場合、第１の組子１３Ａと第２の組子１３Ｂとが、障子１の厚さ方向において、同じ高さで並んでいない箇所が発生する。
【００１１】
障子枠の内周面における上記シート挿入空間には溝１０ｃ、１１ａ、１２ａが形成されている。即ち、左右の縦框材１２、上框材１０、下框材１１には、断熱シート１４を差し込むための溝１０ｃ、１１ａ、１２ａが形成されている。各溝１０ｃ、１１ａ、１２ａは、各部材の軸方向に沿って延びるように形成されている。
断熱シート１４は、障子枠の矩形形状と相似の矩形形状となっている。断熱シート１４は、上記のシート挿入空間に配置され、且つ、その端部を構成する各辺がそれぞれ対応する溝１０ｃ、１１ａ、１２ａ内に差し込まれるようにして配置されている。即ち、断熱シート１４は、その全周が障子枠内周面に形成された溝１０ｃ、１１ａ、１２ａに差し込まれることで、障子枠内に形成される矩形形状の開口部を塞いでいる。
【００１２】
断熱シート１４は、例えば厚さ５ｍｍ以上１０ｍｍ以下の樹脂系不織布からなる。遮熱シートは向こう側が見えるだけの透明性は無いが採光性を有していることが好ましい。
断熱シート１４を構成する樹脂系不織布は、例えばポリエステル系若しくはポリエチレン系の樹脂から構成される。ここで、不織布とは、繊維を織らずに絡み合わせたシートである。
厚さを５ｍｍ以上１０ｍｍ以下としたのは、目隠し効果を有しつつ採光性を確保し、且つ所定の断熱性を確保するためである。またこの厚さにすることで、断熱シート１４に所定の剛性を付与可能となる。
【００１３】
又、上框材１０は、図２及び図４に示すように、断熱シート１４の上端部（上辺）と上下で対向する部分が、障子枠の本体に対して、上方に分離可能な嵌め込み部１０ｂとなっている。すなわち、上框材１０は、第１及び第２の組子１３Ａ、１３Ｂと上下方向で対向する上框本体１０ａと、断熱シート１４の上端部（上辺）と上下で対向する嵌め込み部１０ｂとからなる。嵌め込み部１０ｂは、図４に示すように、上面視で、延在方向の長さが断熱シート１４の上辺より長い。すなわち、嵌め込み部１０ｂは、上面視で、断熱シート１４の上辺よりも左右に張り出している。このため、左右の縦框材１２の上端面にも、嵌め込み部１０ｂの左右端部を嵌め込むための溝が形成されていて、この溝に嵌め込み部１０ｂの左右両端部が支持されている。
【００１４】
この嵌め込み部１０ｂを設ける場合には、嵌め込み部１０ｂを上方に引き抜くことで、上方からシート挿入空間全体を臨めるようになり、障子枠の上側から断熱シート１４を引き抜いたり、差し込んだりすることが可能となる。
ここで、本実施形態では、第１の組子１３Ａ及び第２の組子１３Ｂの両方の表面に、障子紙を設けていない。もっとも意匠性を向上させる目的で、第１の組子１３Ａ及び第２の組子１３Ｂの表面の一部分だけに、すなわち障子の表側や裏側の面の一部だけに化粧紙を設けても良い。部分的に化粧紙を設ける場合には、密封された断熱用の空気層は形成されない。
【００１５】
本実施形態の障子１は、障子１の表側と裏側の両方に組子１３をそれぞれ配置し、その第１及び第２の組子１３Ａ、１３Ｂの中間部に断熱性を有する面材である断熱シート１４を配置した構造となっていて、その断熱シート１４によって、断熱効果、採光、目隠し効果を有する。
また、組子１３は障子の表裏共に表面に見える構造なため、断熱性を有しつつ、組子模様による意匠性に優れた障子１となる。
また、嵌め込み部１０ｂを設けることで、障子枠の上辺（上框部）から断熱シート１４を引き抜いた入り、差し込むことが出来る。すなわち、簡易に断熱シート１４の交換が可能となっている。この構造によって、断熱シート１４が汚れた時などに取替えが可能となる。
尚、断熱シート１４の表面に絵柄を設けても良い。
【符号の説明】
【００１６】
１     障子
１０   上框材
１０ａ 上框本体
１０ｂ 嵌め込み部
１０ｃ 溝
１１   下框材
１２   縦框材
１３   組子
１３Ａ 第１の組子
１３Ｂ 第２の組子
１４   断熱シート
【図１】
2018127772.tif 000003
【図２】
2018127772.tif 000004
【図３】
2018127772.tif 000005
【図４】
2018127772.tif 000006
【図５】
2018127772.tif 000007